(57)【要約】【課題】正確性、安全性、利便性、簡易性、デザイン性、携帯性を併せ持ち、さらに衛生的で使い勝手の良い滴下補助機能と液漏れ防止機能を備える目薬容器の提供を図る。【解決手段】滴下補助機能を備える目薬液収納容器と、液漏れ防止機能を備えるオーバーキャップと、で構成される目薬容器であって、目薬液収納容器は、上端中央部に嵌着される点滴ノズルの両側に、突条部を外筒部に周設する滴下補助支柱体を点滴ノズルより高い位置に立設して形成する滴下補助機能を備えて成り、オーバーキャップは、一方が開口されたキャップ体の内壁開口部付近に溝条部を周設して突条部と係合すると共に、点設突起と周縁突起を内設する凹部を先端形状とする栓柱体を内壁天井部中央に突設して点滴ノズルに当接させて形成する液漏れ防止機能を備えた手段を採る。【選択図】図１
2010000394.tif 000002
【特許請求の範囲】
【請求項１】
滴下補助機能を備える目薬液収納容器と、液漏れ防止機能を備えるオーバーキャップと、で構成される目薬容器であって、前記目薬液収納容器は、上端中央部に嵌着される点滴ノズルの両側に、突条部を外筒部に周設する滴下補助支柱体を前記点滴ノズルより高い位置に立設して形成する滴下補助機能を備えて成り、前記オーバーキャップは、一方が開口されたキャップ体の内壁開口部付近に溝条部を周設して前記突条部と係合すると共に、点設突起と周縁突起を内設する凹部を先端形状とする栓柱体を内壁天井部中央に突設して前記点滴ノズルに当接させて形成する液漏れ防止機能を備えたことを特徴とする目薬容器。
【請求項２】
前記滴下補助支柱体の先端部に柔軟部材を設けたことを特徴とする請求項１記載の目薬容器。
【請求項３】
前記滴下補助支柱体の外筒部および柔軟部材のいずれかまたは両方に着脱機能を設けたことを特徴とする請求項１記載または請求項２記載の目薬容器。
【請求項４】
前記滴下補助支柱体を長手方向に対して外側に開放するように、くの字形に屈曲させたことを特徴とする請求項１記載から請求項３記載のいずれかに記載の目薬容器。
【発明の詳細な説明】
【技術分野】
【０００１】
本発明は、目薬の点眼を正確且つ衛生的に行うことができる滴下補助機能と液漏れ防止機能を備えた目薬容器に関する。
【背景技術】
【０００２】
従来より、目薬の点眼を正確に行うことができる補助具付の目薬容器に関する提案としては、例えば、目薬容器に点眼用の補助キャップ体を備えた「目薬容器と目薬容器の点眼用キャップ体」(特許文献1参照)や、目薬容器に嵌着する点眼ノズル付のキャップ状部材に立設される一対の支持壁を設けた「目薬容器」(特許文献２参照)や、端壁の中央部に滴下筒を有する目薬容器において端壁の周縁部に滴下筒よりも端壁から大きく突出する環状枠を連設し端壁及び環状枠で皿部を形成した「目薬容器」(特許文献３参照)や、目薬容器を収納嵌合するケースを窓孔によって左右に分離形成した「目薬容器」(特許文献４参照)などが提案され、公知技術となっている。
【０００３】
前記「目薬容器と目薬容器の点眼用キャップ体」(特許文献1参照)の公知技術においては、点眼用の補助キャップ体や支持体が目薬容器より大きく外部に露出しているため携帯性が悪く、さらに使用時においては、補助キャップ体や支持体が完全に密封・隔離されていないためゴミの付着や雑菌の増殖が懸念される提案であった。
【０００４】
また、前記「目薬容器」(特許文献２参照)の公知技術においては、目薬容器に嵌着する点眼ノズル付のキャップ状部材に立設される一対の支持壁が完全に密封・隔離されていないため衛生的な構造を有していないことや、点眼の際に点眼ノズルを覆う蓋体の開閉を行うには手間隙が掛かることや、構造的にも複雑であることから製品のコスト高を招く提案であった。
【０００５】
また、前記「目薬容器」(特許文献３参照)の公知技術においては、点眼用の端壁及び環状枠が目薬容器と外形を同じくして携帯性を良くしているが、端壁及び環状枠のキャップ体と当接面以外の外形部が露出する構造であることや、端壁および環状枠で形成される皿部にゴミや差しこぼれた目薬液が溜まってしまう問題を残す提案であった。
【０００６】
また、前記「目薬容器」(特許文献４参照)の公知技術においては、目薬容器を収納嵌合するケースを窓孔によって左右に分離形成することによって、ケース上面が完全に密封・隔離されて衛生的ではあるが、目薬容器に収めるケースやケース蓋体を必要とすることから使い勝手の悪さや製品のコスト高を招く提案であった。
【０００７】
以上のように、従来から提案される補助具付の目薬容器の多くは、キャップや付属の支柱で距離と位置を確保する方法を採用しているが、点眼時に支柱が眼球に当たったり、接触部が衛生的でなかったり、構造的に複雑形状であったり、目薬の液漏れの可能性があるなどの問題点を多く抱える提案であることから、正確性、安全性、利便性、簡易性、デザイン性、携帯性を併せ持ち、さらに衛生的で使い勝手の良い目薬容器の提供が望まれていた。
【先行技術文献】
【特許文献】
【０００８】
【特許文献１】実用新案公開平５―２０７３８号公報
【特許文献２】特許公開平１１―１５５６２８号公報
【特許文献３】特許公開平９―２５３１６０号公報
【特許文献４】特許公開平１１―１５５９２７号公報
【発明の概要】
【発明が解決しようとする課題】
【０００９】
本発明は、上記問題点を鑑み、正確性、安全性、利便性、簡易性、デザイン性、携帯性を併せ持ち、さらに衛生的で使い勝手の良い滴下補助機能と液漏れ防止機能を備える目薬容器の提供を図る。
【課題を解決するための手段】
【００１０】
本発明は、滴下補助機能を備える目薬液収納容器と液漏れ防止機能を備えるオーバーキャップとで構成される目薬容器であって、目薬液収納容器は、上端中央部に嵌着される点滴ノズルの両側に、突条部を外筒部に周設する滴下補助支柱体を点滴ノズルより高い位置に立設して形成する滴下補助機能を備えて成り、オーバーキャップは、一方が開口されたキャップ体の内壁開口部付近に溝条部を周設して突条部と係合すると共に、点設突起と周縁突起を内設する凹部を先端形状とする栓柱体を、内壁天井部中央に突設して点滴ノズルに当接させて形成する液漏れ防止機能を備える手段を採る。
【００１１】
また、本発明は、滴下補助支柱体の先端部に柔軟部材を設けた手段を採る。
【００１２】
また、本発明は、滴下補助支柱体の外筒部および柔軟部材のいずれかまたは両方に着脱機能を設けた手段を採る。
【００１３】
また、本発明は、滴下補助支柱体を長手方向に対して外側に開放するように、くの字形に屈曲させた手段を採る。
【発明の効果】
【００１４】
本発明の目薬容器によれば、目薬容器を構成する目薬液収納容器ならびにオーバーキャップは、回動機構や複雑な構造ならびに組み合わせを必要としない極めて簡易的な構造であるため製造コストの低廉が図られる。
【００１５】
また、従来の目薬容器と比較して構造的に目薬液収納容器の両側に滴下補助支柱体が設けられているに過ぎない簡易構造であるため、瞼に滴下補助支柱体を当てがうだけの、従来同様の点眼方法で正確に点眼を行うことができるものである。
【００１６】
また、目薬液収納容器の上端両側に滴下補助支柱体が設けられているため、点滴ノズルを瞳の真上にセットする際に目を開いた状態で点滴ノズルの注出口を注視することができるため、子供や老人でも正確に点眼することができるものである。
【００１７】
また、オーバーキャップによって点滴ノズルならびに滴下補助支柱体が完全に密封・隔離されるため衛生的であると同時に、滴下補助支柱体が目薬液収納容器の上端両側に露出して立設されているためゴミや毀れた目薬液が溜ることがない衛生的な構造を有するものである。
【００１８】
また、目薬液収納容器とオーバーキャップの外形形状が段差のない統一されたデザインで形成されているためデザイン性ならびに携帯性を備え、滴下補助支柱体が極めてシンプルな形状を有した目薬容器の提供が図れる。
【００１９】
また、滴下補助支柱体の先端部が柔軟部材で形成されているため、眼部に当たって瞳を傷めることがない上、滴下補助支柱体の先端部を超柔軟なプヨプヨな部材を使用し、さらにくの字形に屈曲させることによって目薬液収納容器を上方から押し付けることができるため瞼が自然に開いて安全且つ容易に点眼することができるものである。
【図面の簡単な説明】
【００２０】
【図１】図１は、本発明における目薬容器の全体を示す斜視図である。（実施例１）
【図２】図２は、本発明における目薬容器の構成を示す断面図である。（実施例２）
【図３】図３は、本発明における目薬容器の構成を示す拡大断面図である。（実施例３）
【図４】図４は、本発明における目薬容器の使用状態を示す説明図である。（実施例４）
【図５】図５は、本発明における目薬容器の別の実施形態を示す説明図である。（実施例５）
【図６】図６は、本発明における目薬容器の別の実施形態を示す説明図である。（実施例６）
【図７】図７は、本発明における目薬容器の別の実施形態を示す説明図である。（実施例７）
【図８】図８は、本発明における目薬容器の別の実施形態の使用状態を示す説明図である。（実施例８）
【発明を実施するための形態】
【００２１】
本発明は、滴下補助機能を備える目薬液収納容器と液漏れ防止機能を備えるオーバーキャップとで構成される目薬容器であって、目薬液収納容器は、上端中央部に嵌着される点滴ノズルの両側に、突条部を外筒部に周設する滴下補助支柱体を点滴ノズルより高い位置に立設して形成する滴下補助機能を備えて成り、オーバーキャップは、一方が開口されたキャップ体の内壁開口部付近に溝条部を周設して突条部と係合すると共に、点設突起と周縁突起を内設する凹部を先端形状とする栓柱体を内壁天井部中央に突設して点滴ノズルに当接させて形成する液漏れ防止機能を備えた手段と、滴下補助支柱体の先端部に柔軟部材を設けた手段と、滴下補助支柱体の外筒部および柔軟部材のいずれかまたは両方に着脱機能を設けた手段と、滴下補助支柱体を長手方向に対して外側に開放するように、くの字形に屈曲させた手段を採ったことを最大の特徴とするもので、以下、実施例を図面を基に説明する。
【実施例１】
【００２２】
図１は、本発明における目薬容器の全体を示す斜視図である。
(a)図は、目薬容器の全体を示す斜視図である。
(b)図は、目薬液収納容器とオーバーキャップを分離した状態を示す斜視図である。
本発明における目薬容器１０は、目薬液収納容器２０とオーバーキャップ４０と極めて単純な構成にも係らず、滴下補助機能と液漏れ防止機能を備える目薬容器であると共に、外形形状が段差のない統一されたデザインで携帯性を備え、また内部構造は、回動機構や複雑な組み合わせを必要としない極めて簡易構造の目薬容器である。
【００２３】
尚、本発明における目薬容器１０は、以下に述べる実施例に限定されるものではなく、特に外形形状や寸法ならびに材質は、本発明の趣旨に逸脱しない範囲で変更することができるものである。
【実施例２】
【００２４】
図２は、本発明における目薬容器の構成を示す断面図である。
(a)図は、目薬液収納容器とオーバーキャップを分離した状態を示す断面図である。
本発明における目薬容器１０は、上端中央部２１に嵌着される点滴ノズル３０の両側に、突条部２３を外筒部２６に周設する滴下補助支柱体２２を点滴ノズル３０より高い位置に立設して形成する滴下補助機能を備えて成り、一方オーバーキャップ４０は、一方が開口されたキャップ体の内壁開口部４１付近に溝条部４３を周設して目薬液収納容器２０の突条部２３と係合すると共に、点設突起５２と周縁突起５３を内設する凹部５１を先端形状とする栓柱体５０を内壁天井部中央４２に突設して点滴ノズル３０に当接させて形成する液漏れ防止機能を備えて構成される。
【００２５】
(b)図は、目薬液収納容器とオーバーキャップを係合した状態を示す断面図である。
滴下補助機能を備える目薬液収納容器２０と液漏れ防止機能を備えるオーバーキャップ４０とで構成される目薬容器１０は、点滴ノズル３０と栓柱体５０によって目薬容器１０の中心位置で局部的に密封する構造ではあるが、滴下補助支柱体２２の外筒部２６に設けられる突条部２３と係合する構造と、オーバーキャップ４０の溝条部４３と係合する構造で保持されるため、安定度と密封効果が高い構造となっている。
【００２６】
目薬液収納容器２０は、上端中央部２１に設けられる点滴ノズル３０の両側に滴下補助支柱体２２を設けた簡易構造であるため低コストで製造できることと、清掃が簡単で衛生的であること、使い勝手が良いなどの構造を有するものである。
【００２７】
滴下補助支柱体２２は、目薬液収納容器２０の上端両側設けられるもので、点眼する際は、単に上下を逆さまにすることによって正確且つ安全に点滴できる構造を有するものである。また滴下補助支柱体２２の外筒部２６に突条部２３が周設されることによってオーバーキャップ４０の溝条部４３と係合して着脱自在に組み合わされる機能を備えて構成されるものである。
【００２８】
オーバーキャップ４０は、キャップ体の内壁開口部４１付近に設けられる溝条部４３と滴下補助支柱体２２の外筒部２６に周設される突条部２３とが係合して着脱自在に組み合わされると共に、内壁天井部４２中央に設けられる栓柱体５０の凹部５１に内設する点設突起５２と周縁突起５３を目薬液収納容器２０の点滴ノズル３０に当接することによって液漏れ防止が図られる構造を有するものである。
【００２９】
点滴ノズル３０は、目薬液収納容器２０の上端中央部２１に嵌着されるもので、ノズル先端部３１の球状の頂点部にノズル注出孔３２が設けられ、ノズル外筒部３３を有して中間位置のフランジに連結され目薬液収納容器２０の嵌合穴２７に挿入される嵌合部３４を有する。
【００３０】
栓柱体５０は、点設突起５２と周縁突起５３を内設する凹部５１を先端形状とするもので、オーバーキャップ４０の内壁天井部中央４２に突設して点滴ノズル３０に当接する液漏れ防止機能を備えて構成される。
【００３１】
滴下補助機能は、目薬液収納容器２０の上端両側に滴下補助支柱体２２を設けて、単純に上下を逆さまにして瞼Ｋに当てがうことによって実現できるもので、従来の提案されている目薬容器の構造と比較して極めてシンプルで正確且つ安全な構造を有するものである。
【実施例３】
【００３２】
図３は、本発明における目薬容器の構成を示す拡大断面図である。
(a)図は、液漏れ防止機能の作用前の状態を示す拡大断面説明図である。
液漏れ防止機能は、点滴ノズル３０と栓柱体５０によって構成されるもので、点滴ノズル３０のノズル先端部３１のノズル注出孔３２に栓柱体５０の点設突起５２が当接されると同時に、ノズル外筒部３３に栓柱体５０の周縁突起５３が当接され密封・嵌合される二重構造となっている。
【００３３】
(b)図は、液漏れ防止機能の作用後の状態を示す拡大断面説明図である。
点滴ノズル３０のノズル先端部３１のノズル注出孔３２に栓柱体５０の点設突起５２が当接されることによって、ノズル注出孔３２が点設突起５２によって塞がれる。さらにノズル外筒部３３に栓柱体５０の周縁突起５３が当接し、前述のノズル注出孔３２が点設突起５２によって塞がれる構造と合わせて二重に液漏れを防ぐ構造となるものである。以上のように点滴ノズル３０と栓柱体５０によって目薬容器１０の中心位置で局部的に密封する構造ではあるが、滴下補助支柱体２２の外筒部２６に設けられる突条部２３とオーバーキャップ４０の溝条部４３と係合する構造で保持されるため、安定度と密封効果が高い構造となっている。
【００３４】
また、その他の液漏れ防止手段として、ノズル外筒部３３に溝条部を設けて周縁突起５３の替わりにＯリングを嵌めて代用したり、周縁突起５３を二重に設けた構造とすることもできる。
【００３５】
また、オーバーキャップ４０をさらに簡易構造とするために、栓柱体５０の先端部に設けられる点設突起５２と周縁突起５３を内設する凹部５１部を別個に製作して栓柱体５０の先端部に取り付ける構造とすることもできる。
【実施例４】
【００３６】
図４は、本発明における目薬容器の使用状態を示す説明図である。
オーバーキャップ４０と目薬液収納容器２０を分離し、滴下補助支柱体２２を備えた目薬液収納容器２０を反転させて瞼Ｋに当接させ、目薬液収納容器２０の胴部を押圧して目薬液Ｙを滴下させて点眼するものである。また、目薬液収納容器２０の上端両側に滴下補助支柱体２２が設けられているため、点滴ノズル３０を瞳の真上にセットする際に目を開いた状態で点滴ノズル３０のノズル注出孔３２を注視することができるため、子供や老人でも正確に点眼することができるものである。
【実施例５】
【００３７】
図５は、本発明における目薬容器の別の実施形態を示す説明図である。
図は、請求項２記載の滴下補助支柱体４０の全体を示す斜視図である。
本発明における滴下補助支柱体２２は、目薬液収納容器２０の上端の両側に突条部２３を周設して点滴ノズル３０より高い位置に立設される構造を有する。さらに、滴下補助支柱体の２２先端部に柔軟部材２５を設けた構造とすることにより、滴下補助支柱体２２が眼部に当たって瞳を傷めることがない構造とすることができる。
【実施例６】
【００３８】
図６は、本発明における目薬容器の別の実施形態を示す説明図である。
図は、請求項３記載の滴下補助支柱体４０の全体を示す斜視図である。
本発明における滴下補助支柱体２２は、目薬液収納容器２０の上端の両側に突条部２３を周設して点滴ノズル３０より高い位置に立設される構造を有する。さらに滴下補助支柱体２２の外筒部２６および柔軟部材２５のいずれかまたは両方に凹凸による着脱機能２４を設けて着脱自在とすることができる。着脱自在とすることによって、ゴミや汚れが付着した場合でも水洗いが可能となり、常に清潔な状態で使用することができる。さらに先端部に柔軟部材２５を設けることによって、瞼Ｋに当接する滴下補助支柱体２２の先端部が柔らかい素材で形成されるため、瞳を傷つけたりしない安全性が確保されることから、柔軟部材２５を形成する材質は特に特定するものではないが、合成樹脂製の軟性な部材が適している。
【実施例７】
【００３９】
図７は、本発明における目薬容器の別の実施形態を示す説明図である。
図は、請求項４記載の滴下補助支柱体４０の全体を示す斜視図である。
本発明における滴下補助支柱体２２は、長手方向に対して外側に開放するように、くの字形に屈曲させた構造を採ることができる。滴下補助支柱体２２を、くの字形に屈曲させた構造とすることにより点眼時に目薬液収納容器２０の上方から押し付けることによって滴下補助支柱体２２の先端部が外側方向へ変形し、瞼Ｋを開く構造とするものである。
【実施例８】
【００４０】
図８は、本発明における目薬容器の別の実施形態の使用状態を示す説明図である。
オーバーキャップ４０と目薬液収納容器２０を分離し、滴下補助支柱体２２を備えた目薬液収納容器２０を反転させて瞼Ｋに当接させ、目薬液収納容器２０の胴部を押圧して目薬液Ｙを滴下させる。また、先端部が超柔軟なプヨプヨな部材で、くの字形に屈曲させた滴下補助支柱体２２を目薬液収納容器２０の上方から押し付けることによって滴下補助支柱体２２の先端部が外側方向へ変形し、開く構造であることから瞼Ｋが自然に開いて安全且つ容易に点眼することができる。
【産業上の利用可能性】
【００４１】
本発明における目薬容器は、医療用や工業用など滴下位置決めを必要とする薬剤や溶剤の補助具付の容器として利用できるもので、滴下補助機能ならびに液漏れ防止機能付の液体収納容器の産業上の利用可能性は大であるものと解する。
【符号の説明】
【００４２】
１０  目薬容器
２０  目薬液収納容器
２１  上端中央部
２２  滴下補助支柱体
２３  突条部
２４  着脱機能
２５  柔軟部材
２６  外筒部
２７  嵌合穴
３０  点滴ノズル
３１  ノズル先端部
３２  ノズル注出孔
３３  ノズル外筒部
３４  嵌合部
４０  オーバーキャップ
４１  内壁開口部
４２  内壁天井部
４３  溝条部
５０  栓柱体
５１  凹部
５２  点設突起
５３  周縁突起
Ｋ  瞼
Ｙ  目薬液
【図１】
2010000394.tif 000003
【図２】
2010000394.tif 000004
【図３】
2010000394.tif 000005
【図４】
2010000394.tif 000006
【図５】
2010000394.tif 000007
【図６】
2010000394.tif 000008
【図７】
2010000394.tif 000009
【図８】
2010000394.tif 000010